【手続補正書】
【提出日】平成29年1月6日(2017.1.6)
【手続補正１】
【補正対象書類名】特許請求の範囲
【補正対象項目名】全文
【補正方法】変更
【補正の内容】
【特許請求の範囲】
【請求項１】
開口をそれぞれ有し、該開口が互いに突き合わされた状態で両端が閉じられた筒体を形成する第１シェル及び第２シェルと、
前記第１シェル及び前記第２シェルを開閉可能に連結する少なくとも一つの弾性ヒンジと、
を備え、
前記第１シェルの前記開口は、第１縁部を有し、
前記第２シェルの前記開口は、第２縁部を有し、
前記弾性ヒンジは、前記第１シェルの前記第１縁部及び前記第２シェルの前記第２縁部の間に架け渡されており、
前記第１シェル及び前記第２シェルが開いた状態で、前記第１縁部と前記第２縁部とは互いに離間する容器。
【請求項２】
請求項１記載の容器であって、
前記第１シェルの前記第１縁部及び前記第２シェルの前記第２縁部に各々切り欠きが設けられ、
前記弾性ヒンジは、前記切り欠きにおいて第１シェルの前記第１縁部及び前記第２シェルの前記第２縁部の間に架け渡されている容器。
【請求項３】
請求項２記載の容器であって、
前記弾性ヒンジは複数設けられており、
前記第１シェルの前記第１縁部及び前記第２シェルの前記第２縁部に各々設けられる前記切り欠きは、前記弾性ヒンジ毎に個別に設けられ、
前記第１シェルの前記第１縁部及び前記第２シェルの前記第２縁部において隣り合う切り欠きの間の端面は、前記第１シェル及び前記第２シェルの各々の前記開口が互いに突き合わされた状態で互いに当接する容器。
【請求項４】
請求項１から３のいずれか一項記載の容器であって、
前記第１シェル及び前記第２シェルによって構成される前記筒体の両端の蓋壁は、該筒体の周壁よりも厚く形成されている容器。
【請求項５】
請求項１から４のいずれか一項記載の容器であって、
前記弾性ヒンジが架け渡される前記第１縁部及び前記第２縁部を除く前記第１シェルの前記開口の縁部の端面には、該縁部に沿って延び、且つ前記第１シェル及び前記第２シェルの各々の前記開口が互いに突き合わされた状態で前記第２シェルの内側から前記第２シェルの縁部に重なるリブが立設されている容器。
【請求項６】
請求項５記載の容器であって、
前記リブの各々の対向面に、互いに係合する係止部が設けられている容器。
【請求項７】
請求項１から５のいずれか一項記載の容器であって、
前記弾性ヒンジが架け渡される前記第１縁部及び前記第２縁部を除く前記第１シェルの前記開口の縁部の外面に凹部が設けられ、該凹部に少なくとも一つの係止突起が形成されており、
前記弾性ヒンジが架け渡される前記縁部を除き前記第２シェルの前記開口の縁部の端面には、前記第１シェル及び前記第２シェルの各々の前記開口が互いに突き合わされた状態で前記第１シェルの前記凹部に収容され、前記係止突起と係合する係止爪が立設されている容器。
【請求項８】
請求項１から７のいずれか一項記載の容器であって、
前記第１シェル及び前記第２シェル並びに前記弾性ヒンジは、樹脂材料で一体に成形されており、
前記弾性ヒンジは、前記第１シェル及び前記第２シェルの各々の前記縁部よりも薄く形成されている容器。
【手続補正２】
【補正対象書類名】明細書
【補正対象項目名】０００７
【補正方法】変更
【補正の内容】
【０００７】
本発明に係る容器は、開口をそれぞれ有し、該開口が互いに突き合わされた状態で両端が閉じられた筒体を形成する第１シェル及び第２シェルと、前記第１シェル及び前記第２シェルを開閉可能に連結する少なくとも一つの弾性ヒンジと、を備え、前記第１シェル及び前記第２シェルの各々の前記開口は直線状の縁部を含んでおり、前記弾性ヒンジは、前記第１シェル及び前記第２シェルの各々の前記縁部の間に架け渡されており、前記筒体の外面に沿うことを特徴としている。また、本発明に係る容器は、開口をそれぞれ有し、該開口が互いに突き合わされた状態で両端が閉じられた筒体を形成する第１シェル及び第２シェルと、前記第１シェル及び前記第２シェルを開閉可能に連結する少なくとも一つの弾性ヒンジと、を備え、前記第１シェルの前記開口は、第１縁部を有し、前記第２シェルの前記開口は、第２縁部を有し、前記弾性ヒンジは、前記第１シェルの前記第１縁部及び前記第２シェルの前記第２縁部の間に架け渡されており、前記第１シェル及び前記第２シェルが開いた状態で、前記第１縁部と前記第２縁部とは互いに離間することを特徴としている。
【手続補正３】
【補正対象書類名】明細書
【補正対象項目名】０００８
【補正方法】変更
【補正の内容】
【０００８】
また、本発明に係る容器においては、前記第１シェル及び前記第２シェルの各々の前記縁部に切り欠きが設けられ、前記弾性ヒンジは、前記切り欠きにおいて第１シェル及び前記第２シェルの前記縁部の間に架け渡されていてもよい。また、本発明に係る容器においては、前記第１シェルの前記第１縁部及び前記第２シェルの前記第２縁部に各々切り欠きが設けられ、前記弾性ヒンジは、前記切り欠きにおいて第１シェルの前記第１縁部及び前記第２シェルの前記第２縁部の間に架け渡されていてもよい。
【手続補正４】
【補正対象書類名】明細書
【補正対象項目名】０００９
【補正方法】変更
【補正の内容】
【０００９】
また、本発明にかかる容器においては、前記弾性ヒンジは複数設けられており、前記第１シェル及び前記第２シェルの各々の前記縁部に設けられる前記切り欠きは、前記弾性ヒンジ毎に個別に設けられ、前記第１シェル及び前記第２シェルの各々の前記縁部において隣り合う切り欠きの間の端面は、前記第１シェル及び前記第２シェルの各々の前記開口が互いに突き合わされた状態で互いに当接してもよい。また、本発明に係る容器においては、前記弾性ヒンジは複数設けられており、前記第１シェルの前記第１縁部及び前記第２シェルの前記第２縁部に各々設けられる前記切り欠きは、前記弾性ヒンジ毎に個別に設けられ、前記第１シェルの前記第１縁部及び前記第２シェルの前記第２縁部において隣り合う切り欠きの間の端面は、前記第１シェル及び前記第２シェルの各々の前記開口が互いに突き合わされた状態で互いに当接してもよい。
【手続補正５】
【補正対象書類名】明細書
【補正対象項目名】００１１
【補正方法】変更
【補正の内容】
【００１１】
また、本発明に係る容器においては、前記弾性ヒンジが架け渡される前記縁部を除く前記第１シェルの前記開口の縁部の端面には、該縁部に沿って延び、且つ前記第１シェル及び前記第２シェルの各々の前記開口が互いに突き合わされた状態で前記第２シェルの内側から前記第２シェルの縁部に重なるリブが立設されていてもよい。また、本発明に係る容器においては、前記弾性ヒンジが架け渡される前記第１縁部及び前記第２縁部を除く前記第１シェルの前記開口の縁部の端面には、該縁部に沿って延び、且つ前記第１シェル及び前記第２シェルの各々の前記開口が互いに突き合わされた状態で前記第２シェルの内側から前記第２シェルの縁部に重なるリブが立設されていてもよい。
【手続補正６】
【補正対象書類名】明細書
【補正対象項目名】００１３
【補正方法】変更
【補正の内容】
【００１３】
また、本発明に係る容器においては、前記弾性ヒンジが架け渡される前記縁部を除く前記第１シェルの前記開口の縁部の外面に凹部が設けられ、該凹部に少なくとも一つの係止突起が形成されており、前記弾性ヒンジが架け渡される前記縁部を除き前記第２シェルの前記開口の縁部の端面には、前記第１シェル及び前記第２シェルの各々の前記開口が互いに突き合わされた状態で前記第１シェルの前記凹部に収容され、前記係止突起と係合する係止爪が立設されていてもよい。また、本発明に係る容器においては、前記弾性ヒンジが架け渡される前記第１縁部及び前記第２縁部を除く前記第１シェルの前記開口の縁部の外面に凹部が設けられ、該凹部に少なくとも一つの係止突起が形成されており、  前記弾性ヒンジが架け渡される前記縁部を除き前記第２シェルの前記開口の縁部の端面には、前記第１シェル及び前記第２シェルの各々の前記開口が互いに突き合わされた状態で前記第１シェルの前記凹部に収容され、前記係止突起と係合する係止爪が立設されていてもよい。